(57)【要約】【課題】短髪と長髪の連結作業が一人の作業者で効率よく行えかつ、両者の結束力が強く保たれ簡単に解き離れることがなく、長期に継続して使用することのできる、毛髪の編付け法を提供する。【解決手段】地肌Ｈから複数本の自毛を左右に分髪し、液体Ｗなどで湿らせ、これをそれぞれ左毛Ａと右毛Ｂに束ねる束ね工程と、少なくとも、左毛Ａと右毛Ｂの長さより長寸とした、複数本のエクステＨＸを束ねた集束体の上端部Ｃを左毛Ａの下方に挿入し、その略中間部Ｄを右毛Ｂの上方に配置する挿着工程と、左毛Ａと右毛Ｂの自毛束とエクステＨＸとを交互に順次、下方に向けて三つ編みする編付工程と、三つ編みされた終端部Ｙをゴム紐Ｇなどで巻回し固定する、固定工程と、固定したゴム紐Ｇと三つ編みされたエクステＨＸなどの残余部をはさみなどでカットする切断工程とよりなる。【選択図】図１
2005206997.tif 000002
【特許請求の範囲】
【請求項１】
地肌から複数本の自毛を左右に分髪し、液体などで湿らせ、これをそれぞれ左自毛束と右自毛束に束ねる、束ね工程と、
少なくとも、前記左自毛束と右自毛束の長さより長寸とした、複数本のヘアーエクステンションを束ねた集束体の上端部を左自毛束の下方に挿入し、その略中間部を右自毛束の上方に配置する挿着工程と、
分髪された左右の自毛束とヘアーエクステンションとを交互に順次、下方に向けて三つ編みする、編付工程と、
三つ編みされた下端部を、ゴム紐で巻回し固定する、固定工程と、
固定したゴム紐と三つ編みされたヘアーエクステンションの残余部を鋏等でカットする、切断工程と、
を含む毛髪の編付け法。
【請求項２】
前記ヘアーエクステンションは、複数本の人毛又は合成繊維を素材とし、その上端部及び下端部を液体などで湿らせ、先細状としたことを特徴とする、請求項１記載の毛髪の編付け法。
【請求項３】
前記分髪された左右の自毛を湿らす液体及びヘアーエクステンションの両端部を先細状とする液体などが、水又はヘアローションであることを特徴とする、請求項１ないし請求項２記載の毛髪の編付け法。
【発明の詳細な説明】
【技術分野】
【０００１】  本発明は、毛髪の編付け法に係り、特には、ショートヘアーにロングヘアーを編み付ける方法に関する。
【背景技術】
【０００２】  美容室などにおいて、顧客がショートヘアー（以下、短髪という）からロングヘアー（以下、長髪という）に変えることを希望した時、一般的には、一人の作業者が両手を使い、顧客の地肌から複数本の自毛を取り分けこれを二つの自毛束にし、この自毛束の地肌側に他の一人が予め用意した、人毛又は人造毛よりなるヘアーエクステンションの二つの束の先端部をそれぞれ交差させ、合計四つの束を二人の作業者が交互に順次下方に向かって、２〜５回の交差と編み合わせを行い、その下端部をゴム紐などで緊縛している。【０００３】  また、作業者により、自毛に増毛を直接結ぶのに用いる、増毛結び用具などが提案されている。
【非特許文献１】実用新案登録第３０６８０６９号公報
【発明の開示】
【発明が解決しようとする課題】
【０００４】  しかしながら上記、短髪を長髪に連結する、従来の方法では、以下の不都合な面がある。即ち、二つの自毛束とヘアーエクステンションの二つの束とを交差と編み合わせを行わなければならないので、一人で作業するのは困難であり、また編み合わせ工程が多いために効率が悪くまた、交差と編み合わせ行うだけなので自毛束とヘアーエクステンションの結束力が弱く、長期の使用に耐えられないという欠点がある。【０００５】  また、非特許文献１の増毛結び用具は、その使用法が複雑であるため、作業性が悪く、特に初心者による使用は困難であり、作業効率が悪い。【０００６】  本発明は、上記、従来技術の諸問題に鑑み、一人の作業者で自毛束とヘアーエクステンションの連結作業を短時間で行うことができかつ、両者の結束力が強く、継続して使用することのできる、毛髪の編付け法を提供することを目的としている。
【課題を解決するための手段】
【０００７】  請求項１に係る、毛髪の編付け法は、地肌から複数本の自毛を左右に分髪し、液体等で湿らせ、これをそれぞれ左自毛束と右自毛束に束ねる、束ね工程と、少なくとも、前記左自毛束と右自毛束の長さより長寸とした、複数本のヘアーエクステンションを束ねた集束体の上端部を左自毛束の下方に挿入し、その略中間部を右自毛束の上方に配置する挿着工程と、分髪された左右の自毛束とヘアーエクステンションとを交互に順次、下方に向けて三つ編みする、編付工程と、三つ編みされた下端部を、ゴム紐で巻回し固定する、固定工程と、固定したゴム紐と三つ編みされたヘアーエクステンションの残余部を鋏等でカットする、切断工程と、を含むことを特徴としている。【０００８】  請求項２は、請求項１記載の毛髪の編付け法において、前記ヘアーエクステンションは、複数本の人毛又は合成繊維を素材とし、その上端部及び下端部を液体などで湿らせ、先細状としたことを特徴としている。【０００９】  請求項３は、請求項１及び請求項２記載の毛髪の編付け法において、前記分髪された左右の自毛を湿らす液体及びヘアーエクステンションの両端部を先細状とする液体などが、水又はヘアローションであることを特徴としている。
【発明の効果】
【００１０】  本発明に係る、毛髪の編付け法は、上記の構成になるから以下の効果を奏する。即ち、複数本のヘアーエクステンションからなる集束体を、左右の自毛束とを交互に順次、下方に向けて三つ編みし、その三つ編みされた終端部を、糸ゴムなどで巻回し固定するので結束力が強く、短髪又は長髪が緩んだり、こぶ状になったりすることがなく、さらに本人はもちろん、他人にもなんらの違和感を感じさせることなく、長期の使用にも耐えられる。【００１１】  また短髪に長髪を連結する作業が、トレイ内の液体例えば、水、ゴム紐、はさみなどの簡単な用具を使い、一人の初心者である従業員でも手早く行え、作業開始から約２時間で終了することもできるので、省力化となりかつ、顧客の待ち時間の短縮につながる。
【発明を実施するための最良の形態】
【００１２】  以下、本発明に係る、毛髪の編付け法の好適な実施形態について図面を参照しながら説明する。図１〜図３は、その編付け工程の説明図で、図４は、編付け作業の用具類を示し、（イ）は、液体例えば、水Ｗを入れたトレイＳの一部切欠正面図、（ロ）は、人毛又は人工合成繊維からなる、ヘアーエクステンション（以下、エクステＨＸという）の正面図、（ハ）は、ゴム紐Ｇの正面図である。【００１３】  まず、１人の作業者の左右の指（不図示）で、図１（イ）に示すように、地肌Ｈから複数本、好適には１０〜５０本の自毛を引き出してそれぞれに左自毛束（以下、左毛Ａという）及び右自毛束（以下、右毛Ｂという）にほぼ均等に分髪し、図４（イ）に示すトレイＳ内の水Ｗを作業者の指先（不図示）につけ、これを左毛Ａ及び右毛Ｂに付着させて湿らせ、これをそれぞれに束ねる。【００１４】  つぎに、複数本、好適には約３０〜２００本の人毛又は合成繊維からなる集束体の上端部及び下端部を、水Ｗなどで湿らせ、先細状としたエクステＨＸの上端部Ｃを、図１（ロ）に示すように、左毛Ａの下方に挿通し、その中間部Ｄは右毛Ｂの上方に配置する。【００１５】  つづいて図１（ハ）に示すように、エクステＨＸの中間部Ｄを作業者の左手親指と子指など（不図示）で右毛Ｂの上に保持し、かつ下端部Ｅを右手親指と子指など（不図示）で保持された右毛Ｂの下方に巻回しながらこれを地肌Ｈ側に押し上げる。つづいて右毛Ｂの上に左毛Ａを交差させ（図１（ニ））、さらにその左毛Ａを右毛Ｂの下方に右巻回する（図１（ホ））。【００１６】  つぎに図２（ヘ）に示すように、地肌Ｈ側にあるエクステＨＸの上端部Ｃを中間部Ｄ、右毛Ｂ及び左毛Ａの上方を跨がせ、さらにその上端部Ｃと左毛Ａを束ねながら右毛Ｂに巻回（図２（ト）参照）させる。つづいて図２（チ）に示すように、左毛Ａ・上端部Ｃ、右毛Ｂ及び下端部Ｅの三体の毛束が形成され、ひきつづき図２（リ）に示すように下端部Ｅを右毛Ｂに巻回させ、つぎに一体化された上端部Ｃ・左毛Ａを下端部Ｅに巻き付け（図２（ヌ）参照）、その図中、矢印のように右毛Ｂを左毛Ａ・上端部Ｃの上に左巻回し、つづいて図２（ル）の矢印のよう下端部Ｅを右毛Ｂの上に右巻回する。この状態を図２（ヲ）に示している。【００１７】  上記、図２（チ）〜（ヲ）に示すような、左毛Ａ・上端部Ｃ、右毛Ｂ及び下端部Ｅの三者による三つ編み作業が順次２〜３回繰り返えされ、地肌Ｈから下方に約７ｍｍの長さになるまで行い（図３（ワ）参照）、さらに図３（カ）に示すように、その終端部Ｙを長さが約１０ｃｍのゴム紐Ｇで数回、巻回し強く緊縛する。【００１８】  つづいて、図３（ヨ）に示すように、結着したゴム紐Ｇと右毛Ｂ及び左毛Ａ・エクステＨＸの下端部Ｅの残余部は、それぞれの根元ではさみなどを使い切断して編付け作業は終了する。
【産業上の利用可能性】
【００１９】  請求項１〜３によれば、複数本のヘアーエクステンションからなる集束体を、左右の自毛束とを交互に順次、下方に向けて三つ編みし、その三つ編みされた終端部を、糸ゴムなどで巻回し固定するので結束力が強く、短髪と長髪が緩んだり、こぶ状になったりすることがなく、さらに本人はもちろん、他人にもなんらの違和感を感じさせることなく、長期の使用にも耐えられる。さらに短髪に長髪を連結する作業が、トレイ内の液体例えば、水、ゴム紐、はさみなどの簡単な用具を使い、一人の初心者である従業員でも手早く行え、作業開始から約２時間で終了することもできるので、省力化となりかつ、顧客の待ち時間の短縮につながる。
【図面の簡単な説明】
【００２０】
【図１】（イ）〜（ホ）本発明に係る、毛髪の編付け法の好適な実施態様における工程を示す説明図である。
【図２】（ヘ）〜（ヲ）同工程を示す説明図である。
【図３】（ワ）〜（ヨ）同工程を示す説明図である。
【図４】（イ）〜（ハ）同編付け作業に使う用具類を示す正面図である。
【符号の説明】
【００２１】Ａ        左毛
Ｂ        右毛
ＨＸ      エクステ
Ｃ        エクステＨＸの上端部
Ｄ        エクステＨＸの中間部
Ｅ        エクステＨＸの下端部
Ｈ        地肌
Ｓ        トレイ
Ｗ        液体（水）
Ｇ        ゴム紐
Ｙ        終端部
【図１】
2005206997.tif 000003
【図２】
2005206997.tif 000004
【図３】
2005206997.tif 000005
【図４】
2005206997.tif 000006